(57)【要約】  退避可能なフレキシブルバリアシート（２５）を有する子供用安全ゲート用ロック装置（１００）を提供する。ロック装置（１００）は、少なくともロック位置とロック解除位置とを有するロック手段（１００Ｂ）を含む。ロック手段（１００Ｂ）は、ロック位置において退避可能なフレキシブルバリアシート（２５）のさらなる引出しを阻止するように構成されており、ロック解除位置において退避可能なフレキシブルバリアシート（２５）の少なくとも引出しを可能にするように構成されている。さらにロック装置（１００）は、作動すると遅延時間の経過後、ロック手段（１００Ｂ）をロック位置に移動させるように構成されているタイマー手段（１００Ａ）を含む。ロック装置（１００）の利点は、遅延時間経過後、自動的にロック装置（１００）をロックすることによって子供用安全ゲートの安全な動作を提供することである。【選択図】  図１
2011524953.tif 000002
【特許請求の範囲】
【請求項１】
退避可能なフレキシブルバリアシートを有する子供用安全ゲート用ロック装置であって、
少なくともロック位置とロック解除位置とを有し、前記ロック位置において前記退避可能なフレキシブルバリアシートのさらなる引出しを阻止するように構成されていると共に、前記ロック解除位置において前記退避可能なフレキシブルバリアシートの少なくとも引出しを可能にするように構成されているロック手段と、
作動すると遅延時間の経過後、前記ロック手段を前記ロック位置に移動させるように構成されているタイマー手段とを含む
子供用安全ゲート用ロック装置。
【請求項２】
前記タイマー手段が、機械的遅延手段を含む
請求項１に記載の子供用安全ゲート用ロック装置。
【請求項３】
前記遅延手段が、遅延ペグと、遅延ソケットと、前記遅延ペグと前記遅延ソケットとの間の遅延物質とを含む
請求項２に記載の子供用安全ゲート用ロック装置。
【請求項４】
前記遅延ソケットが、閉底部と、前記遅延ペグを受け取るように適応された上部開口部とを含む
請求項３に記載の子供用安全ゲート用ロック装置。
【請求項５】
前記遅延物質が、高粘度グリースである
請求項３または４に記載の子供用安全ゲート用ロック装置。
【請求項６】
前記タイマー手段が電子的手段である
請求項１に記載の子供用安全ゲート用ロック装置。
【請求項７】
前記ロック手段が、機械制御式ロックアクチュエータによって作動される
上記請求項のいずれか一つに記載の子供用安全ゲート用ロック装置。
【請求項８】
前記ロック手段が、電子制御式ロックアクチュエータによって作動される
上記請求項のいずれか一つに記載の子供用安全ゲート用ロック装置。
【請求項９】
前記ロック手段および前記タイマー手段が一体化されて機械アセンブリとなっている
請求項２から５のいずれか一つに記載の子供用安全ゲート用ロック装置。
【請求項１０】
上記請求項のいずれか一つに記載のロック装置を含む
子供用安全ゲート。
【請求項１１】
子供用安全ゲートの閉鎖方法であって、
安全ゲート用ロック手段をロック解除位置に移動させることと、
タイマー手段を作動させることと、
フレキシブルシートを引き出すことと、
前記フレキシブルシートをロックトリムに取り付けることとを含む
子供用安全ゲートの閉鎖方法。
【発明の詳細な説明】
【技術分野】
【０００１】
本発明は、概して子供用安全ゲート用ロック装置に関する。  
本発明は特に、退避可能なフレキシブルバリアシートを含む子供用安全ゲート用ロック装置に関する。
【背景技術】
【０００２】
当該分野でいくつかの種類の子供用安全ゲートが公知である。  
以下に述べるUS4,523,745A1およびUS4,723,587A1に記載のレージートング型拡張可能ゲート、ならびにUS4,492,263A1およびUS3,431,966A1に記載の、押込み作用、詰込み作用または押圧作用により適切な位置に保持されるゲートがある。
【０００３】
子供用安全ゲートは主に、幼い子供が家の中の危険な場所、例えば階段、台所などに入るのを防ぐために用いられる。  
そのため安全ゲートは、大人は容易に開けることができるが子供は容易に開けられないものでなければならない。
【０００４】
上記のタイプのゲートとは別に、使用しないときはロール状に巻いた状態にあり引き出して開口場所を閉じることができるようになった、フレキシブルシート材料により形成されたゲートバリア部材で設計された子供用安全ゲートが公知である。  
このようなタイプのゲートは例えばWO9400664A1に記載されている。  
ロールは、ゲートによって閉じるべき開口場所の一側部に沿って垂直に設置されるのが好ましい。  
閉じるべき開口場所の他方の側部には、フックまたは他のロック手段など、シートを引き出してゲート開口場所を覆ったときにシート材料の自由端をロックする保持手段が設置されている。
【０００５】
このタイプの安全ゲートには、使用しないときにはシートをロールに巻きつける付勢力を供給するロールバック手段が備わっている。  
子供用安全ゲートが覆うべき開口場所のサイズ（幅）は様々であり得るため、シート材料は一般的な開口場所のうちの最大の幅よりも長いことが多い。  
したがってシートが引き出されて開口場所を完全に覆っても、開口場所の幅がシートの長さよりも短いためにシートをさらに引き出すことができる場合がある。  
シート材料が長すぎると、誰かがシートにもたれた場合にシートをさらに引き出してしまって開口場所の他方の側にアクセスしてしまうという不具合が生じる。  
これは子供またはペットにとって望ましくなく危険である。
【０００６】
現行の子供用安全ゲートは、シート材料が所望の長さよりも長く引き出されないようにする何らかの手段を提供している。
【０００７】
WO9400664A1は、特に子どもおよびペットの通路を遮断する子供用安全ゲートを開示している。  
ゲートは一方の側部エッジで吊下げ可能であり、子供保護ロック装置によって他方の側部エッジでロック可能である。  
ゲートは側部エッジ間にロールタイプのカーテンを有しており、このカーテンを一方の側部エッジに巻き付けることができる。
【０００８】
US6,536,502B2は、調整可能な拡張リミッタを備えた幅調整可能な子供用安全ゲートを開示している。  
調整可能な拡張リミッタはシート材料の最大拡張長さを設定することを可能にする。  
この装置の不利な点は、複数の選択可能位置からのみしか最大拡張長さを設定できないことであり、このためシート材料の最大長さを開口場所の幅に完全に合わせることが困難である。  
さらに最大拡張を手動で調整しなければならないため、異なる幅の開口場所で安全ゲートを用いるのは煩わしい。
【０００９】
US7,178,792B2は、電動拡張ロックを備えた幅調整可能な子供用安全ゲートを開示している。  
電動拡張ロックは、電気的にロック解除されるまで、ハウジングからのスクリーンの引出しを阻止するように適応されている。  
この安全装置の不利な点は、安全装置を扱う人がロックを作動させるのを忘れて、ゲートにもたれた子供に危険を引き起こし得るということである。  
さらに装置は電気に依存している。  
これは、何らかの理由で電気が作動せずロックを作動させた人が、ロック機構が適切にかかっていないことを認識しない場合に危険であり得る。  
電気が作動しなければ、ロックを解除して安全装置を開口場所から取り外すのも困難であり、火事のときには危険となる可能性がある。
【００１０】
US6,907,914B1は、ベビー安全ゲート用のロック装置を開示している。  
このロック装置を用いると、シート材料をいかなる長さにも繰り出すことができ、一旦所望の長さだけ繰り出した後は、それ以上の繰出しをロック装置で阻止することが可能である。  
ロック装置は１回の連続繰出し操作を可能にするが、巻戻し操作が一旦始まればそれ以上の繰出しを阻止する。  
このロック装置の不利な点は、シート材料を繰り出している人が誤ってシート材料を放してしまい巻戻し操作が始まってしまうと、シート材料の繰出しを可能にするためには再びロック装置を解除しなければならないことである。
【００１１】
US5,690,317A1は、廊下を横切る子供用安全バリアに用いるスプリングローラ搭載引出しスクリーンを開示している。  
さらに子供による衝撃を受けたときにスクリーンが引き出されることを阻止する制御機構が設けられている。  
手動プッシュボタンによって解除しない限り、スクリーンを引き出す方向へのローラの回転は阻止される。  
スクリーンを引き出して僅かに放し、ロールに僅かに巻き戻した後、ローラは自動的にロックされる。  
自動ロック機構は摩擦駆動によって動作する。  
スクリーンを引き出して放すと、摩擦駆動は歯止めを解放して立ち上げ、ラチェットホイールと係合させる。  
上記に開示した制御機構でゲートを閉じる場合、ゲートを閉じる人は、シートを引出し位置に取り付ける際にシートを上手く取り扱わなければならないことが多い。  
上記に開示した制御機構は、シートが完全に巻き取られる度に一度だけ外方に引き出すことを可能にするため、シートを取り扱う人は、シートを引出し位置にしっかりと取り付ける前に誤ってシートを少し解放してしまうことが多いと考えられる。  
このように、制御機構はシートをロックしてそれ以上引き出せないようにし、シート材料を繰り出して再びシートを引出し位置にしっかりと取り付けることを可能にするためには、人は再びロック装置を解除しなければならない。  
このシステムの別の不利な点は、シートがロールに巻き戻されたときにロック機構が耳障りなクリックノイズを発することである。  
このノイズは特に夜間には耳障りである。  
さらに、ゲートを開けるためにロック機構の係合を解除した人が、その後ゲートを開けないでおこうと思うかもしれない。  
その場合、ロック機構を再度作動させることを忘れる可能性がある。  
こうなるとシートは自由にロールから巻き出るため、通常ゲートに止められる子供および動物に危険が及ぶ可能性がある。
【発明の開示】
【発明が解決しようとする課題】
【００１２】
したがって
・安全な動作
・異なる幅の開口場所に対する容易な適合
・ゲートの容易な開閉、および
・静かな動作
を提供する子供用安全ゲート用ロック装置があれば便利である。
【課題を解決するための手段】
【００１３】
したがって本発明は、当該分野における上記の欠点および不利な点の１以上を単一であるいは組み合わせて和らげる、緩和する、または排除することを目的とし、請求の範囲１に記載の子供用安全ゲート用ロック装置、請求の範囲１０に記載の子供用安全ゲート、および請求の範囲１１に記載の子供用安全ゲートを閉じる方法を提供することにより、少なくとも上記の問題点を解決する。
【００１４】
本発明の有利な実施形態は従属請求項に規定される。
【００１５】
添付の図面に示す実施形態に沿って本発明をより詳細に説明する。
【図面の簡単な説明】
【００１６】
【図１】図１は、閉位置にある子供用安全ゲートの前面図である。
【図２】図２は、本発明の一実施形態による、図１の子供用安全ゲートの分解斜視図であって、バリアシートが部分的に引き出された状態を示す図である。
【図３】図３は、本発明の一実施形態による遅延ソケット、遅延ペグおよびガスケットの断面図である。
【図４】図４は、図１のロック装置に関連するいくつかの部品の一実施形態の分解斜視図である。
【図５】図５は、図１のロック装置に関連するいくつかの部品の斜視図である。図５ａは、図５の詳細拡大図である。
【図６】図６は、本発明によるロック装置に関連するいくつかの部品の斜視図である。図６ａは、図６の詳細拡大図である。
【図７】図７は、本発明の別の実施形態によるロック装置に関連するいくつかの部品の分解斜視図である。
【図８】図８は、図７のロック装置の断面図である。図８ａは、図８の詳細拡大図である。
【図９】図９は、図７のロック装置のいくつかの部品の断面図である。
【図１０】図１０は、本発明の実施形態によるロック装置の前面図である。
【発明を実施するための最良の形態】
【００１７】
図１に、本発明の実施形態による子供用安全ゲートが床４００上方のドアポスト３００に設置されて閉位置にある状態を示す。  
本実施形態によると、ゲートは、
・フレキシブルシート２５、
・ハウジング１、
・ロック装置１００、
・ロールバック装置２００、
・ロックロッド２０、
・ロックトリム２１、および
・ハンドル２２
を含む。
【００１８】
図１、図２、図４および図５に示すように、フレキシブルシート２５は天然材料または合成材料、例えば布または織物、あるいはロール２４に取付けおよび巻付け可能な任意の材料で形成することができる。  
シート２５は引き出され、ロール２４から巻き出されて開口場所を覆うことができる。  
ロール２４はハウジング１内に配置され、一端でロック装置１００に連結され、他端でロールバック装置２００に連結されている。  
ロールバック装置２００はハウジング１の一端に取り付けられ、シート２５が引き出された後にロール２４を回転させてシート２５をロール２４に巻き戻す付勢力を提供するように構成されている。  
ロック装置１００はハウジング１の他端に連結されており、タイマー手段１００Ａとロック手段１００Ｂとを含む。
【００１９】
シート２５の外方端はロックロッド２０に取り付けてもよい。  
ロックロッド２０はシート２５の外方端を安定させてロックトリム２１に嵌る。  
これによりロックロッド２０がロックトリム２１に引っ掛かり、シート２５がロール２４に巻き付くことを阻止できる。  
ハンドル２２はロックロッド２０に取り付けられており、ロッド２０を容易に動かしてロックトリム２１と係合させるために用いることができる。  
ロックトリム２１はハウジング１に対して開口場所の反対側に位置することが多く、それによりシート２５を引き出してハウジング１とロックトリム２１との間に取り付けられて開口場所を覆うことができる。
【００２０】
ハウジング１およびロックトリム２１は実質的に垂直に設置されてもよいが、覆うべき開口場所の形状によっては他の方位も可能である。  
例えば、子供用安全ゲートは、床の穴を覆うために水平に設置してもよいし、垂直壁の開口部を覆うために垂直に設置してもよい。  
ハウジング１およびロックトリム２１はねじで取り付けるのが好ましいが、特別な取付具、釘、接着剤または強力磁石を用いて取り付けてもよい。  
ハウジング１は、突出型の長細いアルミニウム形状を有し、端部は開放され、その長さはロール２４の長さに適合しているのが好ましい。  
しかしハウジング１はプラスチックまたは何か他の適した材料で形成してもよい。
【００２１】
ロック装置１００のロック手段１００Ｂは、少なくともロック位置とロック解除位置とを有する。  
ロック手段１００Ｂはロック位置では、ロール２４に取り付けたフレキシブルシート２５がそれ以上引き出されるのを阻止するように構成されている。  
またロック手段１００Ｂはロック解除位置では、退避可能なフレキシブルバリアシート２５が少なくとも引き出されるのを可能にするように構成されている。  
ロック装置１００は常にバリアシート２５の退避を可能にするのが好ましいが、機構が作動したときのみシート２５の引出しを可能にして、子供がベースユニットからシート２５を引き出して遊ぶことを阻止するように構成してもよい。  
ロック手段１００Ｂは、それ自体が解放されてロック装置１００をロック解除位置に移動させるように構成されている。
【００２２】
タイマー手段１００Ａは、作動すると、ある時間の経過後にロック手段１００Ｂをロック位置に移動させるように構成されている。  
タイマー手段１００Ａは手動で種々の遅延時間に巻上げ設定可能なメカニカルタイマーであってもよいが、別の実施形態ではエレクトロメカニカルタイマーであってもよい。  
通常の遅延時間は、平均的ユーザがシート２５を引き出してロックトリム２１に取り付けるのに要する時間であってもよい。  
この遅延によって、誰でも落ち着いてシート２５を引き出しロックトリム２１にしっかりと取り付けることができる。  
ある実施形態では、通常の遅延時間が２０秒である。  
さらにタイマー手段１００Ａは種々の遅延時間に容易に調整可能である。  
遅延時間の経過後はロック手段１００Ｂが解放されるまでバリアをそれ以上引き出すことはできない。  
これにより、ゲートは常に適切にロックされ、シート２５をそれ以上引き出すことができないことが保証される。
【００２３】
図２に示すように、ロック装置１００のロック手段１００Ｂとタイマー手段１００Ａとを一体化して単一の機械アセンブリ（ロック装置）としてもよい。  
ロック装置１００は、上部ケーシング３と、ロックアクチュエータ４と、解放ホイール５と、制御ノブ６と、上部中央蓋７と、下部中央蓋８と、上部壁固定具９と、第１、第２および第３のばね１０Ａ、１０Ｂおよび１０Ｃと、ロックホイール１１とを含んでもよい。
【００２４】
中空の解放ホイール５は、中空円筒形状部と輪郭可変カムとを有する。  
解放ホイール５はノブ６と係合し、これにより両者は共通の長手方向軸Ａ回りに相対的に回転しない。  
さらに解放ホイール５およびノブ６は、共通の長手方向軸Ａに沿って互いに摺動可能であり、これによりノブ６が上部位置および下部位置を有することが可能となる。  
第１のばね１０Ａは解放ホイール５およびノブ６を互いから離れる方向に押し、ノブを上部位置に移動させる。  
ノブ６は上部位置では、ノブのノブ突出部６ａによって上部中央蓋７に対して回転することを阻止される。  
ノブ６が下部位置まで押し下げられると、ノブ突出部６ａは上部中央蓋７から解放され、ノブは長手方向軸Ａ回りに回転可能となる。
【００２５】
下部中央蓋８を解放ホイール５下方に配置して、解放ホイール５を支持するようにしてもよい。
【００２６】
タイマー手段
中空解放ホイール５の中空円筒内部に中空遅延ソケット１７を配置して、両者が共通の長手方向軸Ａ回りに相対的に回転しないようにしてもよい。  
第２のばね１０Ｂは中空遅延ソケット１７と中空解放ホイール５の中空円筒部との間に配置され、ソケット１７とホイール５とを互いから離れる方向に押す。  
これにより遅延ペグ１８が蓋８に押しつけられる。
【００２７】
ある実施形態によると図３に示すように、遅延ペグ１８を、中空遅延ソケット１７内にクリアランスフィット状態で回転可能に配置してもよい。  
遅延ペグ１８と中空遅延ソケット１７との間に高粘度グリースを設けて、遅延駆動ばね２３からの付勢力による解放ホイール５の回転を遅くしてもよい。  
遅延ペグ１８と遅延ソケット１７との間にＯリング１９を設けて、その間を密閉し高粘度グリースが漏れるのを防いでもよい。
【００２８】
解放ホイール５の回転を一方向でのみ遅くするが他方向では遅くしないようにするために、遅延ペグ１８は一方向への回転を制限されるが他方向の回転は制限されない。  
これは、遅延ペグ１８の端部のうち下部中央蓋８に対向する端部に角張った歯を設け、さらに下部中央蓋８にこれに合致する角張った歯を設けることによって達成される。  
歯は蓋８と遅延ペグ１８との間において一方向の回転にはグリップを提供するが、他方向の回転中はスリップする。
【００２９】
別の実施形態によると図７に示すように、タイマー手段１００Ａは、遅延ペグ２８と、遅延ソケット２９と、遅延ソケット２９と遅延ペグ２８との間の遅延物質Ｓ（図８ａを参照のこと）とを含む。
【００３０】
遅延ソケット２９は遅延ペグ２８を受け取るように適応された上部開口部３１を有する。  
また図９に示すように、遅延ソケット２９は閉底部３２を有する。
【００３１】
遅延ソケット２９は、蓋８の上側に配置されてノブ６および解放ホイール５の回転軸に整合した中空円筒形状を有する。  
遅延ソケット２９は蓋８と一体化しており、それによりロック装置の総部品点数を減らしロック装置が欠陥アセンブリとなる危険を低下させている。
【００３２】
図８および図９に示すように、遅延ペグ２８は遅延ソケット２９内に回転可能に位置するように適応されており、それにより遅延ソケット２９と遅延ペグ２８との間にポケット３３を形成する。  
さらに遅延ペグ２８は１以上の突出部および／または陥没部を有し、ノブおよび／または解放ホイール５と係合する。  
突出部および／または陥没部は遅延ペグ２８とノブ６および／または解放ホイール５との相対的回転を阻止するように作用し、それにより遅延ペグ２８が解放ホイール５と共回転する。
【００３３】
遅延ペグ２８に対して制御された摩擦力を作用させるために、高粘度グリースなどの高粘度遅延物質Ｓがポケット３３内に供給されている。  
遅延物質Ｓは遅延ソケット２８および遅延ペグ２８の表面に粘着し、それにより両者間の相対的回転に対して反作用する。  
ポケット３３を密閉して遅延物質Ｓが漏れないようにするために、遅延ペグ２８と遅延ソケット２９の上部との間にゴム製Ｏリング３４などのガスケットを設けてもよい。
【００３４】
図９に示すように、遅延ソケット２９内にシャフト３５を設けて、遅延ソケット２９内での遅延ペグ２８の移動を操作してもよい。  
これにより遅延ペグ＃の移動中、ポケット３３の容量および形状が実質的に変化せず、遅延物質Ｓの円滑な機能が保証される。
【００３５】
固定された遅延ソケット２９の閉底部３２は、遅延物質Ｓが下方に漏れないことを保証する。  
遅延物質Ｓが漏れると遅延ペグ２８に作用する摩擦が失われる可能性があり、そうなるとタイマーの時間経過が意図したよりも速くなる。  
遅延ソケット２９は、蓋８に取り付けた別体の部品でもよく、その場合、遅延ソケット２９の長手方向軸回りの回転はいずれの方向にも阻止されることがわかる。  
さらに遅延ソケット２９は、上記のようにそれ自体の長手方向軸回りの一方向の回転は阻止するが他方向の回転は阻止しないようにするために、蓋８に取り付けられていないが歯を備えた別体の部品であってもよい。
【００３６】
図１０は、本発明の一実施形態によるロック装置を組み立てたところを示す。ロック装置は、ノブ６と、上部カバー２と、上部ケーシング３とを有する。
【００３７】
ロック手段
図４に示すように、遅延駆動ばね２３を解放ホイール５内に設けて、ノブ６の回転により解放ホイール５が回転した後、解放ホイール５回転させて元の位置に戻す付勢力を供給してもよい。  
遅延駆動ばね２３は、ノブ６が回転すると締まる。  
ロック手段のロックを遅延するある程度の遅延時間を設定するためにノブ６を回転させてもよい。  
遅延時間は、ノブをどの程度回転させるかに依存する。  
遅延駆動ばね２３が解放されると、遅延駆動バネ２３が生成するモーメンタムによりノブ６は自動的に元の方向に回転する。
【００３８】
図５に示すように、ロックホイール１１は複数の歯を有し、下部中央蓋８の下方に位置し、好ましくは下部中央蓋８には接しない。  
ロックアクチュエータ４はハンドル４Ａとロック突出部８Ｂとを有する。  
ロック突出部４Ｂは、ロックホイール１１の歯を把持することにより、ロック装置１００がロック位置にあるときにロックホイール１１が第１の方向に回転することを阻止するように適応された歯を備えている。  
第１の方向は、シート２５を引き出したときにロックホイール１１が回転する方向と同じ方向である。  
ロック装置１００がロック位置にありロックホイール１１が第１の方向とは反対の方向に回転するとき、ロック突出部４Ｂの歯はロックホイール１１の歯の上をスリップする。歯がスリップすると、耳障りなクリックノイズを発する可能性がある。  
ロック装置１００がロック解除位置にある場合、ロックアクチュエータ４はロックホイール１１との係合を解除され、ロックホイール１１はクリックノイズを発することなく自由に両方向に回転する。  
第３のばね１０Ｃは上部ケーシング３とロックアクチュエータ４との間に設けられて、ロックアクチュエータ４をロックホイール１１に押しつける。  
解放ホイール５の輪郭可変カムは、ロックアクチュエータ４の最大移動量を制御して、ばね付勢されたロックアクチュエータ４が必ずしも常にロックホイール１１と係合しロックしないように設計され配置される。  
輪郭可変カムは、ばね付勢されたロックアクチュエータ４が押しつけられ解放ホイール５の回転中に摺動する係止面を提供することができる。  
輪郭は可変であるため、ロックアクチュエータ４のハンドルおよび残りの部分は、ロック位置とロック解除位置との間を輪郭にしたがって移動する。  
ロックホイール１１はロール２４に連結され、ロックアクチュエータ４がロックホイール１１をロックしたときにロール２４が回転することを阻止する。
【００３９】
図６に示すように、輪郭可変カムは、第１および第２の部分Ｐ１およびＰ２を有する。  
第１の部分Ｐ１はカム上の第１の点５２とカム上の第２の点５３との間に規定される。  
第１の部分Ｐ１の半径は、第１の点５２における第１の半径５２０から第２の点５３における第２の半径５３０まで徐々に増大する。  
第１の半径５２０は、ロックアクチュエータ４のハンドル４Ａがロックホイール１１に十分近づいてロックホイール１１をロックできるほど十分小さい。  
第２の半径５３０は、ロックアクチュエータ４をロックホイール１１から十分遠ざけてロック装置１１０をロック解除位置に移動させるほど十分大きい。  
第１の係止面５１が設けられて、第１の点５２によってロックアクチュエータ４が一旦位置づけられた後に解放ホイール５の回転を停止させている。  
第２の部分Ｐ２は、第２の点５３と第３の半径５４０を有する第３の点５４との間に規定される。  
第３の半径５４０は第２の半径５３０と等しいことが好ましく、これによりハンドル４Ａがこれらの点５３と点５４との間をカムに沿って容易に摺動する。  
第２の係止面５５が第２の部分Ｐ２の端部に設けられて、ロック装置をロック解除に移動させ遅延時間を設定するために解放ホイール５が回転している間、解放ホイール５の最大回転量を制限している。  
解放ホイール５が回転してロック装置１００をロック解除すると、ハンドル４Ａが徐々に外方に摺動して第１の部分Ｐ１の第１の半径５２０から第２の部分Ｐ２の第２の半径５３０、さらには第２の部分Ｐ２の第３の半径５４０に達し、最終的に第２の突出部５５に当たる。  
第２の半径５３０は、ハンドル４Ａが第２の点５３を通過したときにロック装置１００がロック解除位置にあることを保証できるほど十分大きい。
【００４０】
図１および図２に示すように、ロールバック装置２００は、底蓋１２と、下部壁固定具１３と、駆動ホイール１４と、底ケーシング１５と、駆動ばね１６とを含んでもよい。  
しかしロールバック装置２００はさらに何らかの他の駆動手段、例えばゴムバンドまたは電気モータなどを含んでもよい。
【００４１】
ある実施形態によると、安全ゲートを係合させる方法が提供される。  
この方法は、
・安全ゲート用ロック手段１００Ｂをロック解除位置に移動させること、
・タイマー手段１００Ａを作動させること、
・フレキシブルシート２５を引き出すこと、および
・フレキシブルシート２５をロックトリムに取り付けること
を含む。
【００４２】
本発明の数々の特徴および利点を、本発明の構成および機能の詳細とともに上述したが、上記は本発明の説明のためのみに記載したものであり、本発明は詳細部、とくに各部分の形状、サイズおよび構造については、本発明の範囲内で変更が可能である。  
本発明の範囲は請求の範囲が示す、各用語の広い包括的意味が示す最大範囲によって規定される。
【図１】
2011524953.tif 000003
【図２】
2011524953.tif 000004
【図３】
2011524953.tif 000005
【図４】
2011524953.tif 000006
【図５】
2011524953.tif 000007
【図６】
2011524953.tif 000008
【図７】
2011524953.tif 000009
【図８】
2011524953.tif 000010
【図９】
2011524953.tif 000011
【図１０】
2011524953.tif 000012
【手続補正書】
【提出日】平成22年12月20日(2010.12.20)
【手続補正１】
【補正対象書類名】明細書
【補正対象項目名】全文
【補正方法】変更
【補正の内容】
【発明の詳細な説明】
【技術分野】
【０００１】
本発明は、概して子供用安全ゲートに関する。  
本発明は特に、退避可能なフレキシブルバリアシートを含む子供用安全ゲートに関する。
【背景技術】
【０００２】
当該分野でいくつかの種類の子供用安全ゲートが公知である。  
以下に述べるUS4,523,745A1およびUS4,723,587A1に記載のレージートング型拡張可能ゲート、ならびにUS4,492,263A1およびUS3,431,966A1に記載の、押込み作用、詰込み作用または押圧作用により適切な位置に保持されるゲートがある。
【０００３】
子供用安全ゲートは主に、幼い子供が家の中の危険な場所、例えば階段、台所などに入るのを防ぐために用いられる。  
そのため安全ゲートは、大人は容易に開けることができるが子供は容易に開けられないものでなければならない。
【０００４】
上記のタイプのゲートとは別に、使用しないときはロール状に巻いた状態にあり引き出して開口場所を閉じることができるようになった、フレキシブルシート材料により形成されたゲートバリア部材で設計された子供用安全ゲートが公知である。  
このようなタイプのゲートは例えばWO9400664A1に記載されている。  
ロールは、ゲートによって閉じるべき開口場所の一側部に沿って垂直に設置されるのが好ましい。  
閉じるべき開口場所の他方の側部には、フックまたは他のロック手段など、シートを引き出してゲート開口場所を覆ったときにシート材料の自由端をロックする保持手段が設置されている。
【０００５】
このタイプの安全ゲートには、使用しないときにはシートをロールに巻きつける付勢力を供給するロールバック手段が備わっている。  
子供用安全ゲートが覆うべき開口場所のサイズ（幅）は様々であり得るため、シート材料は一般的な開口場所のうちの最大の幅よりも長いことが多い。  
したがってシートが引き出されて開口場所を完全に覆っても、開口場所の幅がシートの長さよりも短いためにシートをさらに引き出すことができる場合がある。  
シート材料が長すぎると、誰かがシートにもたれた場合にシートをさらに引き出してしまって開口場所の他方の側にアクセスしてしまうという不具合が生じる。  
これは子供またはペットにとって望ましくなく危険である。
【０００６】
現行の子供用安全ゲートは、シート材料が所望の長さよりも長く引き出されないようにする何らかの手段を提供している。
【０００７】
WO9400664A1は、特に子どもおよびペットの通路を遮断する子供用安全ゲートを開示している。  
ゲートは一方の側部エッジで吊下げ可能であり、子供保護ロック装置によって他方の側部エッジでロック可能である。  
ゲートは側部エッジ間にロールタイプのカーテンを有しており、このカーテンを一方の側部エッジに巻き付けることができる。
【０００８】
US6,536,502B2は、調整可能な拡張リミッタを備えた幅調整可能な子供用安全ゲートを開示している。  
調整可能な拡張リミッタはシート材料の最大拡張長さを設定することを可能にする。  
この装置の不利な点は、複数の選択可能位置からのみしか最大拡張長さを設定できないことであり、このためシート材料の最大長さを開口場所の幅に完全に合わせることが困難である。  
さらに最大拡張を手動で調整しなければならないため、異なる幅の開口場所で安全ゲートを用いるのは煩わしい。
【０００９】
US7,178,792B2は、電動拡張ロックを備えた幅調整可能な子供用安全ゲートを開示している。  
電動拡張ロックは、電気的にロック解除されるまで、ハウジングからのスクリーンの引出しを阻止するように適応されている。  
この安全装置の不利な点は、安全装置を扱う人がロックを作動させるのを忘れて、ゲートにもたれた子供に危険を引き起こし得るということである。  
さらに装置は電気に依存している。  
これは、何らかの理由で電気が作動せずロックを作動させた人が、ロック機構が適切にかかっていないことを認識しない場合に危険であり得る。  
電気が作動しなければ、ロックを解除して安全装置を開口場所から取り外すのも困難であり、火事のときには危険となる可能性がある。
【００１０】
US6,907,914B1は、ベビー安全ゲート用のロック装置を開示している。  
このロック装置を用いると、シート材料をいかなる長さにも繰り出すことができ、一旦所望の長さだけ繰り出した後は、それ以上の繰出しをロック装置で阻止することが可能である。  
ロック装置は１回の連続繰出し操作を可能にするが、巻戻し操作が一旦始まればそれ以上の繰出しを阻止する。  
このロック装置の不利な点は、シート材料を繰り出している人が誤ってシート材料を放してしまい巻戻し操作が始まってしまうと、シート材料の繰出しを可能にするためには再びロック装置を解除しなければならないことである。
【００１１】
US5,690,317A1は、廊下を横切る子供用安全バリアに用いるスプリングローラ搭載引出しスクリーンを開示している。  
さらに子供による衝撃を受けたときにスクリーンが引き出されることを阻止する制御機構が設けられている。  
手動プッシュボタンによって解除しない限り、スクリーンを引き出す方向へのローラの回転は阻止される。  
スクリーンを引き出して僅かに放し、ロールに僅かに巻き戻した後、ローラは自動的にロックされる。  
自動ロック機構は摩擦駆動によって動作する。  
スクリーンを引き出して放すと、摩擦駆動は歯止めを解放して立ち上げ、ラチェットホイールと係合させる。  
上記に開示した制御機構でゲートを閉じる場合、ゲートを閉じる人は、シートを引出し位置に取り付ける際にシートを上手く取り扱わなければならないことが多い。  
上記に開示した制御機構は、シートが完全に巻き取られる度に一度だけ外方に引き出すことを可能にするため、シートを取り扱う人は、シートを引出し位置にしっかりと取り付ける前に誤ってシートを少し解放してしまうことが多いと考えられる。  
このように、制御機構はシートをロックしてそれ以上引き出せないようにし、シート材料を繰り出して再びシートを引出し位置にしっかりと取り付けることを可能にするためには、人は再びロック装置を解除しなければならない。  
このシステムの別の不利な点は、シートがロールに巻き戻されたときにロック機構が耳障りなクリックノイズを発することである。  
このノイズは特に夜間には耳障りである。  
さらに、ゲートを開けるためにロック機構の係合を解除した人が、その後ゲートを開けないでおこうと思うかもしれない。  
その場合、ロック機構を再度作動させることを忘れる可能性がある。  
こうなるとシートは自由にロールから巻き出るため、通常ゲートに止められる子供および動物に危険が及ぶ可能性がある。
【発明の開示】
【発明が解決しようとする課題】
【００１２】
したがって
・安全な動作
・異なる幅の開口場所に対する容易な適合
・ゲートの容易な開閉、および
・静かな動作
を提供する子供用安全ゲート用ロック装置があれば便利である。
【課題を解決するための手段】
【００１３】
したがって本発明は、当該分野における上記の欠点および不利な点の１以上を単一であるいは組み合わせて和らげる、緩和する、または排除することを目的とし、請求の範囲１に記載の子供用安全ゲート、および特徴ある方法を独立した請求の範囲で提供することにより、少なくとも上記の問題点を解決する。
【００１４】
本発明の有利な実施形態は従属請求項に規定される。
【００１５】
添付の図面に示す実施形態に沿って本発明をより詳細に説明する。
【図面の簡単な説明】
【００１６】
【図１】図１は、閉位置にある子供用安全ゲートの前面図である。
【図２】図２は、本発明の一実施形態による、図１の子供用安全ゲートの分解斜視図であって、バリアシートが部分的に引き出された状態を示す図である。
【図３】図３は、本発明の一実施形態による遅延ソケット、遅延ペグおよびガスケットの断面図である。
【図４】図４は、図１のロック装置に関連するいくつかの部品の一実施形態の分解斜視図である。
【図５】図５は、図１のロック装置に関連するいくつかの部品の斜視図である。
【図５ａ】図５ａは、図５の詳細拡大図である。
【図６】図６は、本発明によるロック装置に関連するいくつかの部品の斜視図である。
【図６ａ】図６ａは、図６の詳細拡大図である。
【図７】図７は、本発明の別の実施形態によるロック装置に関連するいくつかの部品の分解斜視図である。
【図８】図８は、図７のロック装置の断面図である。
【図８ａ】図８ａは、図８の詳細拡大図である。
【図９】図９は、図７のロック装置のいくつかの部品の断面図である。
【図１０】図１０は、本発明の実施形態によるロック装置の前面図である。
【発明を実施するための最良の形態】
【００１７】
図１に、本発明の実施形態による子供用安全ゲートが床４００上方のドアポスト３００に設置されて閉位置にある状態を示す。  
本実施形態によると、ゲートは、
・フレキシブルシート２５、
・ハウジング１、
・ロック装置１００、
・ロールバック装置２００、
・ロックロッド２０、
・ロックトリム２１、および
・ハンドル２２
を含む。
【００１８】
図１、図２、図４および図５に示すように、フレキシブルシート２５は天然材料または合成材料、例えば布または織物、あるいはロール２４に取付けおよび巻付け可能な任意の材料で形成することができる。  
シート２５は引き出され、ロール２４から巻き出されて開口場所を覆うことができる。  
ロール２４はハウジング１内に配置され、一端でロック装置１００に連結され、他端でロールバック装置２００に連結されている。  
ロールバック装置２００はハウジング１の一端に取り付けられ、シート２５が引き出された後にロール２４を回転させてシート２５をロール２４に巻き戻す付勢力を提供するように構成されている。  
ロック装置１００はハウジング１の他端に連結されており、タイマー手段１００Ａとロック手段１００Ｂとを含む。
【００１９】
シート２５の外方端はロックロッド２０に取り付けてもよい。  
ロックロッド２０はシート２５の外方端を安定させてロックトリム２１に嵌る。  
これによりロックロッド２０がロックトリム２１に引っ掛かり、シート２５がロール２４に巻き付くことを阻止できる。  
ハンドル２２はロックロッド２０に取り付けられており、ロッド２０を容易に動かしてロックトリム２１と係合させるために用いることができる。  
ロックトリム２１はハウジング１に対して開口場所の反対側に位置することが多く、それによりシート２５を引き出してハウジング１とロックトリム２１との間に取り付けられて開口場所を覆うことができる。
【００２０】
ハウジング１およびロックトリム２１は実質的に垂直に設置されてもよいが、覆うべき開口場所の形状によっては他の方位も可能である。  
例えば、子供用安全ゲートは、床の穴を覆うために水平に設置してもよいし、垂直壁の開口部を覆うために垂直に設置してもよい。  
ハウジング１およびロックトリム２１はねじで取り付けるのが好ましいが、特別な取付具、釘、接着剤または強力磁石を用いて取り付けてもよい。  
ハウジング１は、突出型の長細いアルミニウム形状を有し、端部は開放され、その長さはロール２４の長さに適合しているのが好ましい。  
しかしハウジング１はプラスチックまたは何か他の適した材料で形成してもよい。
【００２１】
ロック装置１００のロック手段１００Ｂは、少なくともロック位置とロック解除位置とを有する。  
ロック手段１００Ｂはロック位置では、ロール２４に取り付けたフレキシブルシート２５がそれ以上引き出されるのを阻止するように構成されている。  
またロック手段１００Ｂはロック解除位置では、退避可能なフレキシブルバリアシート２５が少なくとも引き出されるのを可能にするように構成されている。  
ロック装置１００は常にバリアシート２５の退避を可能にするのが好ましいが、機構が作動したときのみシート２５の引出しを可能にして、子供がベースユニットからシート２５を引き出して遊ぶことを阻止するように構成してもよい。  
ロック手段１００Ｂは、それ自体が解放されてロック装置１００をロック解除位置に移動させるように構成されている。
【００２２】
タイマー手段１００Ａは、作動すると、ある時間の経過後にロック手段１００Ｂをロック位置に移動させるように構成されている。  
タイマー手段１００Ａは手動で種々の遅延時間に巻上げ設定可能なメカニカルタイマーであってもよいが、別の実施形態ではエレクトロメカニカルタイマーであってもよい。  
通常の遅延時間は、平均的ユーザがシート２５を引き出してロックトリム２１に取り付けるのに要する時間であってもよい。  
この遅延によって、誰でも落ち着いてシート２５を引き出しロックトリム２１にしっかりと取り付けることができる。  
ある実施形態では、通常の遅延時間が２０秒である。  
さらにタイマー手段１００Ａは種々の遅延時間に容易に調整可能である。  
遅延時間の経過後はロック手段１００Ｂが解放されるまでバリアをそれ以上引き出すことはできない。  
これにより、ゲートは常に適切にロックされ、シート２５をそれ以上引き出すことができないことが保証される。
【００２３】
図２に示すように、ロック装置１００のロック手段１００Ｂとタイマー手段１００Ａとを一体化して単一の機械アセンブリ（ロック装置）としてもよい。  
ロック装置１００は、上部ケーシング３と、ロックアクチュエータ４と、解放ホイール５と、制御ノブ６と、上部中央蓋７と、下部中央蓋８と、上部壁固定具９と、第１、第２および第３のばね１０Ａ、１０Ｂおよび１０Ｃと、ロックホイール１１とを含んでもよい。
【００２４】
中空の解放ホイール５は、中空円筒形状部と輪郭可変カムとを有する。  
解放ホイール５はノブ６と係合し、これにより両者は共通の長手方向軸Ａ回りに相対的に回転しない。  
さらに解放ホイール５およびノブ６は、共通の長手方向軸Ａに沿って互いに摺動可能であり、これによりノブ６が上部位置および下部位置を有することが可能となる。  
第１のばね１０Ａは解放ホイール５およびノブ６を互いから離れる方向に押し、ノブ６を上部位置に移動させる。  
ノブ６は上部位置では、ノブのノブ突出部６ａによって上部中央蓋７に対して回転することを阻止される。  
ノブ６が下部位置まで押し下げられると、ノブ突出部６ａは上部中央蓋７から解放され、ノブ６は長手方向軸Ａ回りに回転可能となる。
【００２５】
下部中央蓋８を解放ホイール５下方に配置して、解放ホイール５を支持するようにしてもよい。
【００２６】
タイマー手段
中空解放ホイール５の中空円筒内部に中空遅延ソケット１７を配置して、両者が共通の長手方向軸Ａ回りに相対的に回転しないようにしてもよい。  
第２のばね１０Ｂは中空遅延ソケット１７と中空解放ホイール５の中空円筒部との間に配置され、ソケット１７とホイール５とを互いから離れる方向に押す。  
これにより遅延ペグ１８が蓋８に押しつけられる。
【００２７】
ある実施形態によると図３に示すように、遅延ペグ１８を、中空遅延ソケット１７内にクリアランスフィット状態で回転可能に配置してもよい。  
遅延ペグ１８と中空遅延ソケット１７との間に高粘度グリースを設けて、遅延駆動ばね２３からの付勢力による解放ホイール５の回転を遅くしてもよい。  
遅延ペグ１８と遅延ソケット１７との間にＯリング１９を設けて、その間を密閉し高粘度グリースが漏れるのを防いでもよい。
【００２８】
解放ホイール５の回転を一方向でのみ遅くするが他方向では遅くしないようにするために、遅延ペグ１８は一方向への回転を制限されるが他方向の回転は制限されない。  
これは、遅延ペグ１８の端部のうち下部中央蓋８に対向する端部に角張った歯を設け、さらに下部中央蓋８にこれに合致する角張った歯を設けることによって達成される。  
歯は蓋８と遅延ペグ１８との間において一方向の回転にはグリップを提供するが、他方向の回転中はスリップする。
【００２９】
別の実施形態によると図７に示すように、タイマー手段１００Ａは、遅延ペグ２８と、遅延ソケット２９と、遅延ソケット２９と遅延ペグ２８との間の遅延物質Ｓ（図８ａを参照のこと）とを含む。
【００３０】
遅延ソケット２９は遅延ペグ２８を受け取るように適応された上部開口部３１を有する。  
また図９に示すように、遅延ソケット２９は閉底部３２を有する。
【００３１】
遅延ソケット２９は、蓋８の上側に配置されてノブ６および解放ホイール５の回転軸に整合した中空円筒形状を有する。  
遅延ソケット２９は蓋８と一体化しており、それによりロック装置の総部品点数を減らしロック装置が欠陥アセンブリとなる危険を低下させている。
【００３２】
図８および図９に示すように、遅延ペグ２８は遅延ソケット２９内に回転可能に位置するように適応されており、それによりソケット２９と遅延ペグ２８との間にポケット３３を形成する。  
さらに遅延ペグ２８は１以上の突出部および／または陥没部を有し、ノブ６および／または解放ホイール５と係合する。  
突出部および／または陥没部は遅延ペグ２８とノブ６および／または解放ホイール５との相対的回転を阻止するように作用し、それにより遅延ペグ２８が解放ホイール５と共回転する。
【００３３】
遅延ペグ２８に対して制御された摩擦力を作用させるために、高粘度グリースなどの高粘度遅延物質Ｓがポケット３３内に供給されている。  
遅延物質Ｓは遅延ソケット２９および遅延ペグ２８の表面に粘着し、それにより両者間の相対的回転に対して反作用する。  
ポケット３３を密閉して遅延物質Ｓが漏れないようにするために、遅延ペグ２８と遅延ソケット２９の上部との間にゴム製Ｏリング３４などのガスケットを設けてもよい。
【００３４】
図９に示すように、遅延ソケット２９内にシャフト３５を設けて、遅延ソケット２９内での遅延ペグ２８の移動を操作してもよい。  
これにより遅延ペグ２８の移動中、ポケット３３の容量および形状が実質的に変化せず、遅延物質Ｓの円滑な機能が保証される。
【００３５】
固定された遅延ソケット２９の閉底部３２は、遅延物質Ｓが下方に漏れないことを保証する。  
遅延物質Ｓが漏れると遅延ペグ２８に作用する摩擦が失われる可能性があり、そうなるとタイマーの時間経過が意図したよりも速くなる。  
遅延ソケット２９は、蓋８に取り付けた別体の部品でもよく、その場合、遅延ソケット２９の長手方向軸回りの回転はいずれの方向にも阻止されることがわかる。  
さらに遅延ソケット２９は、上記のようにそれ自体の長手方向軸回りの一方向の回転は阻止するが他方向の回転は阻止しないようにするために、蓋８に取り付けられていないが歯を備えた別体の部品であってもよい。
【００３６】
図１０は、本発明の一実施形態によるロック装置を組み立てたところを示す。ロック装置は、ノブ６と、上部カバー２と、上部ケーシング３とを有する。
【００３７】
ロック手段
図４に示すように、遅延駆動ばね２３を解放ホイール５内に設けて、ノブ６の回転により解放ホイール５が回転した後、解放ホイール５回転させて元の位置に戻す付勢力を供給してもよい。  
遅延駆動ばね２３は、ノブ６が回転すると締まる。  
ロック手段のロックを遅延するある程度の遅延時間を設定するためにノブ６を回転させてもよい。  
遅延時間は、ノブ６をどの程度回転させるかに依存する。  
遅延駆動ばね２３が解放されると、遅延駆動バネ２３が生成するモーメンタムによりノブ６は自動的に元の方向に回転する。
【００３８】
図５に示すように、ロックホイール１１は複数の歯を有し、下部中央蓋８の下方に位置し、好ましくは下部中央蓋８には接しない。  
ロックアクチュエータ４はハンドル４Ａとロック突出部８Ｂとを有する。  
ロック突出部４Ｂは、ロックホイール１１の歯を把持することにより、ロック装置１００がロック位置にあるときにロックホイール１１が第１の方向に回転することを阻止するように適応された歯を備えている。  
第１の方向は、シート２５を引き出したときにロックホイール１１が回転する方向と同じ方向である。  
ロック装置１００がロック位置にありロックホイール１１が第１の方向とは反対の方向に回転するとき、ロック突出部４Ｂの歯はロックホイール１１の歯の上をスリップする。歯がスリップすると、耳障りなクリックノイズを発する可能性がある。  
ロック装置１００がロック解除位置にある場合、ロックアクチュエータ４はロックホイール１１との係合を解除され、ロックホイール１１はクリックノイズを発することなく自由に両方向に回転する。  
第３のばね１０Ｃは上部ケーシング３とロックアクチュエータ４との間に設けられて、ロックアクチュエータ４をロックホイール１１に押しつける。  
解放ホイール５の輪郭可変カムは、ロックアクチュエータ４の最大移動量を制御して、ばね付勢されたロックアクチュエータ４が必ずしも常にロックホイール１１と係合しロックしないように設計され配置される。  
輪郭可変カムは、ばね付勢されたロックアクチュエータ４が押しつけられ解放ホイール５の回転中に摺動する係止面を提供することができる。  
輪郭は可変であるため、ロックアクチュエータ４のハンドルおよび残りの部分は、ロック位置とロック解除位置との間を輪郭にしたがって移動する。  
ロックホイール１１はロール２４に連結され、ロックアクチュエータ４がロックホイール１１をロックしたときにロール２４が回転することを阻止する。
【００３９】
図６に示すように、輪郭可変カムは、第１および第２の部分Ｐ１およびＰ２を有する。  
第１の部分Ｐ１はカム上の第１の点５２とカム上の第２の点５３との間に規定される。  
第１の部分Ｐ１の半径は、第１の点５２における第１の半径５２０から第２の点５３における第２の半径５３０まで徐々に増大する。  
第１の半径５２０は、ロックアクチュエータ４のハンドル４Ａがロックホイール１１に十分近づいてロックホイール１１をロックできるほど十分小さい。  
第２の半径５３０は、ロックアクチュエータ４をロックホイール１１から十分遠ざけてロック装置１１０をロック解除位置に移動させるほど十分大きい。  
第１の係止面５１が設けられて、第１の点５２によってロックアクチュエータ４が一旦位置づけられた後に解放ホイール５の回転を停止させている。  
第２の部分Ｐ２は、第２の点５３と第３の半径５４０を有する第３の点５４との間に規定される。  
第３の半径５４０は第２の半径５３０と等しいことが好ましく、これによりハンドル４Ａがこれらの点５３と点５４との間をカムに沿って容易に摺動する。  
第２の係止面５５が第２の部分Ｐ２の端部に設けられて、ロック装置をロック解除に移動させ遅延時間を設定するために解放ホイール５が回転している間、解放ホイール５の最大回転量を制限している。  
解放ホイール５が回転してロック装置１００をロック解除すると、ハンドル４Ａが徐々に外方に摺動して第１の部分Ｐ１の第１の半径５２０から第２の部分Ｐ２の第２の半径５３０、さらには第２の部分Ｐ２の第３の半径５４０に達し、最終的に第２の突出部５５に当たる。  
第２の半径５３０は、ハンドル４Ａが第２の点５３を通過したときにロック装置１００がロック解除位置にあることを保証できるほど十分大きい。
【００４０】
図１および図２に示すように、ロールバック装置２００は、底蓋１２と、下部壁固定具１３と、駆動ホイール１４と、底ケーシング１５と、駆動ばね１６とを含んでもよい。  
しかしロールバック装置２００はさらに何らかの他の駆動手段、例えばゴムバンドまたは電気モータなどを含んでもよい。
【００４１】
ある実施形態によると、安全ゲートを係合させる方法が提供される。  
この方法は、
・安全ゲート用ロック手段１００Ｂをロック解除位置に移動させること、
・タイマー手段１００Ａを作動させること、
・フレキシブルシート２５を引き出すこと、および
・フレキシブルシート２５をロックトリム２１に取り付けること
を含む。
【００４２】
本発明の数々の特徴および利点を、本発明の構成および機能の詳細とともに上述したが、上記は本発明の説明のためのみに記載したものであり、本発明は詳細部、とくに各部分の形状、サイズおよび構造については、本発明の範囲内で変更が可能である。  
本発明の範囲は請求の範囲が示す、各用語の広い包括的意味が示す最大範囲によって規定される。
【手続補正２】
【補正対象書類名】特許請求の範囲
【補正対象項目名】全文
【補正方法】変更
【補正の内容】
【特許請求の範囲】
【請求項１】
ロック装置と、退避可能なフレキシブルバリアシート
を有する子供用安全ゲートであって、
前記ロック装置は、
少なくともロック位置とロック解除位置とを有し、前記ロック位置において前記退避可能なフレキシブルバリアシートのさらなる引出しを阻止するように構成されていると共に、前記ロック解除位置において前記退避可能なフレキシブルバリアシートの少なくとも引出しを可能にするように構成されているロック手段と、
作動すると遅延時間の経過後、前記ロック手段を前記ロック位置に移動させるように構成されているタイマー手段とを含むことを特徴とする
子供用安全ゲート。
【請求項２】
前記タイマー手段が、機械的遅延手段を含む
請求項１に記載の子供用安全ゲート。
【請求項３】
前記遅延手段が、遅延ペグと、遅延ソケットと、前記遅延ペグと前記遅延ソケットとの間の遅延物質とを含む
請求項２に記載の子供用安全ゲート。
【請求項４】
前記遅延ソケットが、閉底部と、前記遅延ペグを受け取るように適応された上部開口部とを含む
請求項３に記載の子供用安全ゲート。
【請求項５】
前記遅延物質が、高粘度グリースである
請求項３または４に記載の子供用安全ゲート。
【請求項６】
前記タイマー手段が電子的手段である
請求項１に記載の子供用安全ゲート。
【請求項７】
前記ロック手段が、機械制御式ロックアクチュエータによって作動される
請求項１から６のいずれか一つに記載の子供用安全ゲート。
【請求項８】
前記ロック手段が、電子制御式ロックアクチュエータによって作動される
請求項１から７のいずれか一つに記載の子供用安全ゲート。
【請求項９】
前記ロック手段および前記タイマー手段が一体化されて機械アセンブリとなっている
請求項２から５のいずれか一つに記載の子供用安全ゲート。
【請求項１０】
子供用安全ゲートの閉鎖方法であって、
安全ゲート用ロック手段をロック解除位置に移動させるステップと、
タイマー手段を作動させるステップと、
フレキシブルシートを引き出すステップと、
前記フレキシブルシートをロックトリムに取り付けるステップとを含む
子供用安全ゲートの閉鎖方法。
【国際調査報告】
2011524953.tif 000013
2011524953.tif 000014